(57)【特許請求の範囲】
【請求項１】
異なる色温度を有した第１、第２の白色ＬＥＤと、赤色ＬＥＤとを備え、前記各ＬＥＤから放射された光が混光するように各ＬＥＤが並べて配設され、各ＬＥＤの配置は、赤色ＬＥＤが中心位置に配置され、第１、第２の白色ＬＥＤが当該赤色ＬＥＤの周りに一定パターンで等間隔に並べて配列されていることを特徴とするＬＥＤ照明器具。
【請求項２】
請求項１記載のＬＥＤ照明器具において、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が９：１０：１近傍にされていることを特徴とするＬＥＤ照明器具。
【請求項３】
異なる色温度を有した第１、第２の白色ＬＥＤと、赤色ＬＥＤとを備え、前記各ＬＥＤから放射された光が混光するように各ＬＥＤが並べて配設され、各ＬＥＤの配置は、第１の白色ＬＥＤが中心位置に配置され、第２の白色ＬＥＤ及び赤色ＬＥＤが当該第１の白色ＬＥＤの周りに一定パターンで等間隔に並べて配列されていることを特徴とするＬＥＤ照明器具。
【請求項４】
請求項３記載のＬＥＤ照明器具において、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が３．０〜４．５：６．５：１近傍にされていることを特徴とするＬＥＤ照明器具。
【請求項５】
異なる色温度を有した第１、第２の白色ＬＥＤと、赤色ＬＥＤとを備え、前記各ＬＥＤから放射された光が混光するように各ＬＥＤが並べて配設され、各ＬＥＤの配置は、ｐ個の赤色ＬＥＤ及びｑ（ｑ＜ｐ）個の第２の白色ＬＥＤが中心位置に等間隔に配置され、当該赤色ＬＥＤ及び第２の白色ＬＥＤの周りに第１の白色ＬＥＤ及び他の第２の白色ＬＥＤが一定パターンで等間隔に並べて配列されていることを特徴とするＬＥＤ照明器具。
【請求項６】
請求項５記載のＬＥＤ照明器具において、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が４．５：１１：１近傍にされていることを特徴とするＬＥＤ照明器具。
【請求項７】
異なる色温度を有した第１、第２の白色ＬＥＤと、赤色ＬＥＤとを備え、前記各ＬＥＤから放射された光が混光するように各ＬＥＤが並べて配設されており、各ＬＥＤの配置は、ｒ個の赤色ＬＥＤ及びｒ個の第２の白色ＬＥＤが中心位置に一定パターンで等間隔に配置され、当該赤色ＬＥＤ及び第２の白色ＬＥＤの周りに第１の白色ＬＥＤ及び他の第２の白色ＬＥＤが一定パターンで等間隔に並べて配列されていることを特徴とするＬＥＤ照明器具。
【請求項８】
請求項７記載のＬＥＤ照明器具において、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が６：１０：１近傍にされていることを特徴とするＬＥＤ照明器具。
【請求項９】
請求項１、３、５又は７記載のＬＥＤ照明器具において、前記ＬＥＤの前方位置に配設された配光制御レンズを更に備えていることを特徴とするＬＥＤ照明器具。
【発明の詳細な説明】
【技術分野】
【０００１】
本発明は白色ＬＥＤ（発光ダイオード）等を光源としたＬＥＤ照明器具に関する。
【背景技術】
【０００２】
ＬＥＤ照明器具は低消費電力、小型軽量化、水銀フリー及び長寿命という数々の特徴を有することから従来の蛍光灯や白熱電球に取って代わるものとして期待されている。ただ、一般的に光源として白色ＬＥＤが使用されることから、発光スペクトルに難があり、波長が７００ｎｍ前後の赤色領域では演色性が大きく劣るという欠点がある。
【０００３】
このような欠点を改善し得るものとして次のようなＬＥＤ照明器具が提案されている。同照明器具においては、白色ＬＥＤと、６１０〜６５５ｎｍにピーク波長を有する赤色ＬＥＤとを備え、白色ＬＥＤ及び赤色ＬＥＤから放射される各光が混光し、混光の光の色温度が３５００Ｋ以下となるように各ＬＥＤが配置されている（特許文献１等）。
【先行技術文献】
【特許文献】
【０００４】
【特許文献１】特開２００４−１０３４４３号公報
【発明の開示】
【発明が解決しようとする課題】
【０００５】
しかしながら、上記従来例による場合、赤色ＬＥＤから放射される光の波長成分により赤色の演色性が若干改善されるものの、赤色以外の他の色の演色性を改善することが非常に困難となる。また、赤色ＬＥＤの追加により照射面の色ムラが逆に大きくなり、これに伴って、均一で高品位な照明を行なうことが困難という別の問題もある。
【０００６】
本発明は上記背景に鑑みて創作されたものであり、その目的とするところは、上記問題を解消することが可能なＬＥＤ照明器具を提供することにある。
【課題を解決するための手段】
【０００７】
本発明に係るＬＥＤ照明器具は、異なる色温度を有した第１、第２の白色ＬＥＤと、赤色ＬＥＤとを備え、前記各ＬＥＤから放射された光が混光するように各ＬＥＤが並べて配設されている。特に、赤色ＬＥＤが中心位置に配置され、第１、第２の白色ＬＥＤが当該赤色ＬＥＤの周りに一定パターンで等間隔に並べて配列にされている。
【０００８】
上記発明による場合、白色ＬＥＤ及び赤色ＬＥＤに加えて色温度の異なる他の白色ＬＥＤが追加された構成となっているので、色温度の異なる白色ＬＥＤの組み合わせにより赤色だけでなくその他の色の演色性を改善することが容易となり、これに伴って高品位な照明を行なうことが可能となる。
【０００９】
この場合、第１、第２の白色ＬＥＤの色温度が約３０００Ｋ、約４０００Ｋであり、赤色ＬＥＤのピーク波長を６２５ｎｍ近傍とし、第１の白色ＬＥＤと第２の白色ＬＥＤと赤色ＬＥＤとの間の光束混合比が９：１０：１近傍にすると良い。
【００１０】
上記照明器具の各ＬＥＤの他の配置例として、第１の白色ＬＥＤが中心位置に配置され、第２の白色ＬＥＤ及び赤色ＬＥＤが当該第１の白色ＬＥＤの周りに一定パターンで等間隔に並べて配列されたものがある。この場合、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が３．０〜４．５：６．５：１近傍にすると良い。
【００１１】
上記発明による場合、各ＬＥＤの配置上、上記効果に加えて、平均演色性評価数（Ｒａ）が９３〜９６となり、照明対象物の赤色が非常に鮮やかに見える。よって、化粧品や衣服等、特に生鮮食料品を取り扱う各種商業施設向け用の照明器具として優れたものになる。また、照射面の色ムラも小さくすることができ、この点で、高品位な照明を行なうことが可能となる。
【００１２】
上記照明器具の各ＬＥＤの他の配置例として、ｐ個の赤色ＬＥＤ及びｑ（ｑ＜ｐ）個の第２の白色ＬＥＤが中心位置に等間隔に配置され、当該赤色ＬＥＤ及び第２の白色ＬＥＤの周りに第１の白色ＬＥＤ及び他の第２の白色ＬＥＤが一定パターンで等間隔に並べて配列されたものがある。この場合、第１、第２の白色ＬＥＤの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が４．５：１１：１近傍にすると良い。
【００１３】
各ＬＥＤの他の配置例として、ｒ個の赤色ＬＥＤ及びｒ個の第２の白色ＬＥＤが中心位置に一定パターンで等間隔に配置され、当該赤色ＬＥＤ及び第２の白色ＬＥＤの周りに第１の白色ＬＥＤ及び他の第２の白色ＬＥＤが一定パターンで等間隔に並べて配列されたものがある。この場合、第１、第２の白色LEDの色温度が約３０００Ｋ、約４０００Ｋであり、赤色ＬＥＤのピーク波長が６２５ｎｍ近傍であり、第１の白色ＬＥＤと第２の白色ＬＥＤと赤色ＬＥＤとの間の光束混合比が６：１０：１近傍にすると良い。
【００１４】
上記発明による場合、赤色の再現性を抑えつつも上記と同様の効果を奏することになる。
【００１５】
上記照明器具において、異なる色温度を有した第１、第２の白色ＬＥＤと、赤色ＬＥＤとに加えて、各ＬＥＤの前方位置に配設された配光制御レンズを更に備えた構成にすると良い。
【００１６】
上記発明による場合、各ＬＥＤから放射された各光が配光制御レンズにより配光される構成となっているので、照射面の色ムラを一層小さくすることが可能になる。
【図面の簡単な説明】
【００１７】
【図１】本発明のＬＥＤ照明器具の実施形態を説明するための図であって、同器具の一部切欠き概略側面図である。
【図２】同器具に係る合計７個のＬＥＤの配置の一例を示す正面図である。
【図３】同器具の分光分布図である。
【図４】同器具の第１変形例を説明するための図であって、屋内の天井に取り付けられたスポットライトを示す模式図である。
【図５】図４に示されたスポットライトに使用されるＬＥＤ照明器具に係る合計１２個のＬＥＤの配置の一例を示す正面図である。
【図６】図５に示されたＬＥＤ照明器具の分光分布図である。
【図７】同器具の第２変形例を説明するための図であって、ＬＥＤ照明器具に係る合計１８個のＬＥＤの配置の一例を示す正面図である。
【図８】図７に示されたＬＥＤ照明器具の分光分布図である。
【図９】同器具の第３変形例を説明するための図であって、ＬＥＤ照明器具に係る合計１２個のＬＥＤの他の配置例を示す正面図である。
【図１０】図９に示されたＬＥＤ照明器具の分光分布図である。
【図１１】同器具の第４変形例を説明するための図であって、ＬＥＤ照明器具に係る合計１８個のＬＥＤの他の配置例を示す正面図である。
【図１２】図１１に示されたＬＥＤ照明器具の分光分布図である。
【発明を実施するための形態】
【００１８】
以下、本発明の実施の形態を図１乃至図３を参照して説明する。なお、本発明の構成要件と実施例器具の構成要素との間で対応関係が明らかでないものについては後記する符号の説明の欄において併せて示すものとする。
【００１９】
ここに例として挙げられるＬＥＤ照明器具１は、主として生鮮食料店向けスポットライトやダウンライト等に使用される照明器具であって、図１に示すように金属製の円筒状をなした器具本体１０と、器具本体１０の先端側に着脱自在に取り付けられる円盤状をなしたＬＥＤモジュール２０と、ＬＥＤモジュール２０内に設けられた合計数が７である白色／赤色ＬＥＤ４０，５０，６０を点灯させるために器具本体１０の基端側に設けられる電源８０とを有している。
【００２０】
ＬＥＤモジュール２０については、表面側に白色ＬＥＤ４０，５０及び赤色ＬＥＤ６０が実装された基板３０と、基板３０の表面側に白色ＬＥＤ４０，５０及び赤色ＬＥＤ６０を覆うように設けられた樹脂製の配光制御レンズ７０とを有している。
【００２１】
このようなＬＥＤモジュール２０が器具本体１０の先端側のコーン部１１内に取り付けられると、この状態で基板３０の裏面側に形成された電源端子（図示せず）と電源８０の出力端子（図示せず）との間が接触して電気接続されるようになっている。
【００２２】
白色ＬＥＤ４０については、本実施形態では色温度が３０００Ｋ（中演色）である白色ＬＥＤであり、市販の白色ＬＥＤを合計３個用いている。これらを白色ＬＥＤ４０ａ，４０ｂ，４０ｃとして表すものとする（図２参照）。
【００２３】
白色ＬＥＤ５０については、本実施形態では色温度が４０００Ｋ（中演色）である白色ＬＥＤであり、市販の白色ＬＥＤを合計３個用いている。これらを白色ＬＥＤ５０ａ，５０ｂ，５０ｃとして表すものとする（図２参照）。
【００２４】
赤色ＬＥＤ６０については、本実施形態ではピーク波長が６２５ｎｍ近傍である赤色ＬＥＤであり、市販の赤色ＬＥＤを１個用いている。
【００２５】
このような白色ＬＥＤ４０，５０及び赤色ＬＥＤ６０から放射された光が混光するように各ＬＥＤ４０，５０，６０が基板３０の表面上に並べて配設されている。各ＬＥＤ４０，５０，６０の具体的な配置については図２に示されている通りである。即ち、赤色ＬＥＤ６０が基板３０の中心位置に配置され、白色ＬＥＤ４０ａ，４０ｂ，４０ｃ及び白色ＬＥＤ５０ａ，５０ｂ，５０ｃが赤色ＬＥＤ６０の周りに交互に並べて環状に配列されている。
【００２６】
白色ＬＥＤ４０ａ，４０ｂ，４０ｃ，白色ＬＥＤ５０ａ，５０ｂ，５０ｃ及び赤色ＬＥＤ６０は直列接続され、図外の光束調整用可変抵抗器を介して電源８０の出力側に接続される。電源８０については、外部から入力されたＡＣ１００Ｖを所定の直流電圧に変換して出力している。電源８０から出力された直流電圧は、上記光束調整用可変抵抗器を通じて白色ＬＥＤ４０、５０及び赤色ＬＥＤ６０に通電される。白色ＬＥＤ４０、５０及び赤色ＬＥＤ６０は上記したように直列接続であることから同一の駆動電流が流れて点灯可能になっている。
【００２７】
本実施形態では、白色ＬＥＤ４０の合計光束が２７８．４［ｌｍ］、白色ＬＥＤ５０の合計光束が３０６．０［ｌｍ］、赤色ＬＥＤ６０の光束が３０［ｌｍ］にされている。よって、白色ＬＥＤ４０と白色ＬＥＤ５０と赤色ＬＥＤ６０との間の光束混合比については、９：１０：１近傍となり、ＬＥＤ全光束については、６１４．４［ｌｍ］である。
【００２８】
配光制御レンズ７０については、白色ＬＥＤ４０、５０及び赤色ＬＥＤ６０の前方位置に配設された集合レンズであって、その表面上には半球状の窪みであるレンズ部７１が白色ＬＥＤ４０ａ，４０ｂ，４０ｃ，白色ＬＥＤ５０ａ，５０ｂ，５０ｃ及び赤色ＬＥＤ６０の各光軸に対応した位置に各々形成されている。各ＬＥＤ４０，５０，６０から放射された各光は、レンズ部７１により配光制御されて混光され、混光した光が照射対象物に向けて照射される。
【００２９】
上記のように構成されたＬＥＤ照明器具１により得られる分光分布については図３に示す通りであり、演色性評価数（Ｒａ，Ｒ１〜Ｒ１５）については表１に示す通りである。また、色度座標（ｘ，ｙ）、色温度（Ｔcp）及びｄｕｖについては表２に示す通りである。
【表１】
0005188540.tif 000002
【表２】
0005188540.tif 000003
【００３０】
このようにＬＥＤ照明器具１については、平均演色性評価数（Ｒａ）が９３という高い数値を示しており、赤色だけでなく他の色の演色性が改善されている。また、照射面の色ムラが非常に小さいことが確かめられている。更に、照明対象物の赤色が非常に鮮やかに見えることも確かめられている。よって、肉や野菜等の生鮮食料品を取り扱う生鮮食料店向け照明器具として非常に優れたものとなる。一方、白色／赤色ＬＥＤ４０，５０，６０を点灯させるための電源８０が１台で良く、電源回路の簡素化を図られているので、配線作業も含めて低コスト化を図ることも可能となった。
【００３１】
（第１変形例）
次に、ＬＥＤ照明器具１の第１変形例を図４乃至図６を参照して説明する。
【００３２】
図４乃至図６に係るＬＥＤ照明器具１Ａについては、斜め下向きに光を照射するスポットライトであって、白色／赤色ＬＥＤ４０，５０，６０の合計数が１２である場合の例である。ＬＥＤ照明器具１と異なる部分を中心に説明し、共通する部分についてはその説明を省略するものとする。
【００３３】
なお、図中１２は、器具本体10を天井に取り付けて向き角度調整可能に保持するための金具である。白色ＬＥＤ４０の個数は３であり、これらを白色ＬＥＤ４０ａ，４０ｂ，４０ｃとして表すものとする。白色ＬＥＤ５０の個数は６であり、これらを白色ＬＥＤ５０ａ，５０ｂ，５０ｃ，５０ｄ，５０ｅ，５０ｆとして表すものとする。赤色ＬＥＤ６０の個数は３であり、これらを赤色ＬＥＤ６０ａ，６０ｂ，６０ｃとして表すものとする。
【００３４】
白色／赤色ＬＥＤ４０、５０、６０の具体的な配置については図５に示されている通りである。即ち、白色ＬＥＤ４０ａ，４０ｂ，４０ｃが基板３０の中心位置に１２０度ピッチ間隔で配置され、白色ＬＥＤ５０ａ，５０ｂ，５０ｃ，５０ｄ，５０ｅ，５０ｆ及び赤色ＬＥＤ６０ａ，６０ｂ，６０ｃが白色ＬＥＤ４０ａ，４０ｂ，４０ｃの周りに一定パターンで等間隔に並べて環状に配列されている。白色ＬＥＤ５０及び赤色ＬＥＤ６０の配列については、２個の白色ＬＥＤ５０、１個の赤色ＬＥＤ６０を順次的に並べ、このパターンを３回繰り返すという内容になっている。
【００３５】
なお、図５に示されたＬＥＤ配列の紙面上側／下側が図４に示されたＬＥＤ照明器具１Ａの正面の上側／下側に各々位置している。これは後記する第２変形例についても同様である。
【００３６】
本実施形態では、白色ＬＥＤ４０の合計光束が２６４．６［ｌｍ］、白色ＬＥＤ５０の合計光束が５８２．０［ｌｍ］、赤色ＬＥＤ６０の合計光束が９０［ｌｍ］にされている。よって、白色ＬＥＤ４０と白色ＬＥＤ５０と赤色ＬＥＤ６０との間の光束混合比については、３：６．５：１近傍となり、照明器具としての全光束については、９３６．６［ｌｍ］である。
【００３７】
上記のように構成されたＬＥＤ照明器具１Ａにより得られる分光分布については図６に示す通りであり、演色性評価数（Ｒａ，Ｒ１〜Ｒ１５）については表３に示す通りである。また、色度座標（ｘ，ｙ）、色温度（Ｔcp）及びｄｕｖについては表４に示す通りである。
【表３】
0005188540.tif 000004
【表４】
0005188540.tif 000005
【００３８】
このようにＬＥＤ照明器具１Ａについては、ＬＥＤ照明器具１に比べて高光束であるにもかかわらず、平均演色性評価数（Ｒａ）が９５であり、照射面の色ムラも小さいという効果が得られる。
【００３９】
（第２変形例）
次にＬＥＤ照明器具１の第２変形例を図７及び図８を参照して説明する。図７に係るＬＥＤ照明器具１Ｂについては、ＬＥＤ照明器具１Ａと同様に、主としてスポットライトに使用される照明器具であって、白色／赤色ＬＥＤ４０，５０，６０の合計数が１８である場合の例である。ＬＥＤ照明器具１と異なる部分を中心に説明し、共通する部分についてはその説明を省略するものとする。
【００４０】
なお、白色ＬＥＤ４０の個数は６であり、これらを上記例と同じく白色ＬＥＤ４０ａ，４０ｂ，４０ｃ，４０ｄ，４０ｅ，４０ｆとして表すものとする。白色ＬＥＤ５０の個数は８であり、これらを白色ＬＥＤ５０ａ，５０ｂ，５０ｃ，５０ｄ，５０ｅ，５０ｆ，５０ｇ，５０ｈとして表すものとする。赤色ＬＥＤ６０の個数は４であり、これらを赤色ＬＥＤ６０ａ，６０ｂ，６０ｃ，６０ｄとして表すものとする。
【００４１】
白色／赤色ＬＥＤ４０、５０、６０の具体的な配置については図７に示されている通りである。即ち、白色ＬＥＤ４０ａ，４０ｂ，４０ｃ，４０ｄ，４０ｅ，４０ｆが基板３０の中心位置に環状に並べて配列され、白色ＬＥＤ５０ａ，５０ｂ，５０ｃ，５０ｄ，５０ｅ，５０ｆ，５０ｇ，５０ｈ及び赤色ＬＥＤ６０ａ，６０ｂ，６０ｃ，６０ｄが白色ＬＥＤ４０ａ，４０ｂ，４０ｃ，４０ｄ，４０ｅ，４０ｆの周りに一定パターンで等間隔に並べて環状に配列されている。白色ＬＥＤ５０及び赤色ＬＥＤ６０の配列については、２個の白色ＬＥＤ５０、１個の赤色ＬＥＤ６０を順次的に並べ、このパターンを３回繰り返すという内容になっている。
【００４２】
本実施形態では、白色ＬＥＤ４０の合計光束が５２９．２［ｌｍ］、白色ＬＥＤ５０の合計光束が７７６．０［ｌｍ］、赤色ＬＥＤ６０の合計光束が１２０［ｌｍ］にされている。よって、白色ＬＥＤ４０と白色ＬＥＤ５０と赤色ＬＥＤ６０との間の光束混合比については、４．５：６．５：１近傍となり、照明器具としての全光束については、１４２５［ｌｍ］である。
【００４３】
上記のように構成されたＬＥＤ照明器具１Ｂにより得られる分光分布については図８に示す通りであり、演色性評価数（Ｒａ，Ｒ１〜Ｒ１５）については表５に示す通りである。また、色度座標（ｘ，ｙ）、色温度（Ｔcp）及びｄｕｖについては表６に示す通りである。
【表５】
0005188540.tif 000006
【表６】
0005188540.tif 000007
【００４４】
このようにＬＥＤ照明器具１Ｂについては、ＬＥＤ照明器具１Ａに比べて高光束であるにもかかわらず、平均演色性評価数（Ｒａ）が９６であり、照射面の色ムラも小さいという効果が得られる。
【００４５】
（第３変形例）
上記図４乃至図６に係るＬＥＤ照明器具１Ａについては、白色ＬＥＤ４０，白色ＬＥＤ５０，赤色ＬＥＤ６０の各個数が３，６，３であったが、赤色の再現性を少し抑える必要があるときには、例えば、白色ＬＥＤ４０，白色ＬＥＤ５０，赤色ＬＥＤ６０の各個数を３、７、２にすると良い。このように設計変更された第３変形例のものをＬＥＤ照明器具１Ｃとする。ＬＥＤ照明器具１Ｃを図９及び図１０を参照して説明する。  
【００４６】
なお、白色ＬＥＤ４０については、白色ＬＥＤ４０ａ，４０ｂ，４０ｃとして、白色ＬＥＤ５０については、白色ＬＥＤ５０ａ，５０ｂ，５０ｃ，５０ｄ，５０ｅ，５０ｆ，５０ｇとして、赤色ＬＥＤ６０については、赤色ＬＥＤ６０ａ，６０ｂとして各々表すものとする。
【００４７】
白色／赤色ＬＥＤ４０、５０、６０の具体的な配置については図９に示されている通りである。即ち、２個の赤色LＥＤ６０ａ，６０ｂ及び１個の白色ＬＥＤ５０ｇが中心位置に等間隔に配置され、赤色ＬＥＤ６０ａ，６０ｂ及び白色ＬＥＤ５０ｇの周りに白色ＬＥＤ５０ａ，５０ｂ，５０ｃ，５０ｄ，５０ｅ，５０ｆ及び白色ＬＥＤ４０ａ、４０ｂ，４０ｃが一定パターンで等間隔に並べて配列されている。白色ＬＥＤ４０ａ、４０ｂ，４０ｃ及び白色ＬＥＤ５０ａ，５０ｂ，５０ｃ，５０ｄ，５０ｅ，５０ｆの配列については、２個の白色ＬＥＤ５０、１個の白色ＬＥＤ４０を順次的に並べ、このパターンを３回繰り返すという内容になっている。
【００４８】
本実施形態では、白色ＬＥＤ４０の合計光束が２６５［ｌｍ］、白色ＬＥＤ５０の合計光束が６７９．０［ｌｍ］、赤色ＬＥＤ６０の合計光束が６０［ｌｍ］にされている。よって、白色ＬＥＤ４０と白色ＬＥＤ５０と赤色ＬＥＤ６０との間の光束混合比については、４．５：１１：１近傍となり、照明器具としての全光束については、１００４［ｌｍ］である。
【００４９】
上記のように構成されたＬＥＤ照明器具１Ｃの分光分布については図１０に示す通りであり、演色性評価数（Ｒａ，Ｒ１〜Ｒ１５）については表７に示す通りである。また、色度座標（ｘ，ｙ）、色温度（Ｔcp）及びｄｕｖについては表８に示す通りである。ＬＥＤ照明器具１Ｃについては、赤色の再現性が少し抑えられている点を除いて、図５及び図６に係るＬＥＤ照明器具１Ａと同様の効果が得られる。
【表７】
0005188540.tif 000008
【表８】
0005188540.tif 000009
【００５０】
（第４変形例）
上記した図７及び図８に係るＬＥＤ照明器具１Ｂについては、白色ＬＥＤ４０，白色ＬＥＤ５０，赤色ＬＥＤ６０の各個数が６，８，４であったが、赤色の再現性を少し抑える必要があるときには、例えば、白色ＬＥＤ４０，白色ＬＥＤ５０，赤色ＬＥＤ６０の各個数を６、９、３にすると良い。このように設計変更された第４変形例のものをＬＥＤ照明器具１Ｄとする。ＬＥＤ照明器具１Ｄを図１１及び図１２を参照して説明する。
【００５１】
なお、白色ＬＥＤ４０については、白色ＬＥＤ４０ａ，４０ｂ，４０ｃ，４０ｄ，４０ｅ，４０ｆとして、白色ＬＥＤ５０については、白色ＬＥＤ５０ａ，５０ｂ，５０ｃ，５０ｄ，５０ｅ，５０ｆ，５０ｇ，５０ｈ，５０ｉとして、赤色ＬＥＤ６０については、赤色ＬＥＤ６０ａ，６０ｂ，６０ｃとして各々表すものとする。
【００５２】
各ＬＥＤ４０、５０、６０の具体的な配置については図１１に示されている通りである。即ち、３個の赤色ＬＥＤ６０ａ，６０ｂ，６０ｃ及び３個の白色ＬＥＤ５０ｇ，５０ｈ，５０ｉが中心位置に一定パターンで等間隔に配置され、当該赤色ＬＥＤ６０ａ〜６０ｃ及び白色ＬＥＤ５０ｇ〜５０ｉの周りに白色ＬＥＤ４０ａ，４０ｂ，４０ｃ，４０ｄ，４０ｅ，４０ｆ及び白色ＬＥＤ５０ａ，５０ｂ，５０ｃ，５０ｄ，５０ｅ，５０ｆが一定パターンで等間隔に並べて配列されたものがある。内側の赤色ＬＥＤ６０ａ，６０ｂ，６０ｃ及び白色ＬＥＤ５０ｇ，５０ｈ，５０ｉの配列については、白色ＬＥＤ５０、赤色ＬＥＤ６０を順次的に並べ、このパターンを３回繰り返すという内容になっている。また、外側の白色ＬＥＤ４０ａ，４０ｂ，４０ｃ，４０ｄ，４０ｅ，４０ｆ及び白色ＬＥＤ５０ａ，５０ｂ，５０ｃ，５０ｄ，５０ｅ，５０ｆの配列については、２個の白色ＬＥＤ４０、２個の白色ＬＥＤ５０を順次的に並べ、このパターンを３回繰り返すという内容になっている。
【００５３】
本実施形態では、白色ＬＥＤ４０の合計光束が５２９．２［ｌｍ］、白色ＬＥＤ５０の合計光束が８７３．０［ｌｍ］、赤色ＬＥＤ６０の合計光束が９０［ｌｍ］にされている。よって、白色ＬＥＤ４０と白色ＬＥＤ５０と赤色ＬＥＤ６０との間の光束混合比については、６：１０：１近傍となり、照明器具としての全光束については、１４９２［ｌｍ］である。
【００５４】
上記のように構成されたＬＥＤ照明器具１Ｄの分光分布については図１２に示す通りであり、演色性評価数（Ｒａ，Ｒ１〜Ｒ１５）については表９に示す通りである。また、色度座標（ｘ，ｙ）、色温度（Ｔcp）及びｄｕｖについては表１０に示す通りである。よって、ＬＥＤ照明器具１Ｄについては、赤色の再現性が少し抑えられている点を除いて、図７及び図８に係るＬＥＤ照明器具１Ｂと同様の効果が得られる。
【表９】
0005188540.tif 000010
【表１０】
0005188540.tif 000011
【００５５】
なお、本発明に係るＬＥＤ照明器具は上記実施形態に限定されず、色温度が異なる複数の白色ＬＥＤ及び赤色ＬＥＤを使用し、各ＬＥＤから放射された光が混光するように各ＬＥＤが並べて配設された構成である限り、白色ＬＥＤ及び赤色ＬＥＤの個数、色温度、波長、配列、光束混合比等については、照明対象等に応じて適宜設計変更すれば良い。また、配光制御レンズについては、省略が可能である。さらに、色温度が異なる複数の白色ＬＥＤ、赤色ＬＥＤに流れる各駆動電流を独立して調整可能なように電源回路を中心に設計変更しても良い。
【符号の説明】
【００５６】
１  ＬＥＤ照明器具
１０  器具本体
２０  ＬＥＤモジュール
３０  基板
４０  白色ＬＥＤ（第１の白色ＬＥＤ）
５０  白色ＬＥＤ（第２の白色ＬＥＤ）
６０  赤色ＬＥＤ
７０  配光制御レンズ
【図１】
0005188540.tif 000012
【図２】
0005188540.tif 000013
【図３】
0005188540.tif 000014
【図４】
0005188540.tif 000015
【図５】
0005188540.tif 000016
【図６】
0005188540.tif 000017
【図７】
0005188540.tif 000018
【図８】
0005188540.tif 000019
【図９】
0005188540.tif 000020
【図１０】
0005188540.tif 000021
【図１１】
0005188540.tif 000022
【図１２】
0005188540.tif 000023